(57)【要約】【課題】第三者に撮影を依頼した際に、誤操作を招くことなく、確実な撮影を実行することが可能な撮影方法および撮像装置を実現することを目的とする。【解決手段】レリーズスイッチを含む複数の操作スイッチと、該操作スイッチからの操作入力を受けて各種設定と撮像とを制御する制御手段と、を備え、撮像した画像を記録媒体に記録する撮像装置であって、前記制御手段は、レリーズスイッチを含む所定の操作スイッチ以外の操作入力を受け付けない動作モードを有する、ことを特徴とする。【選択図】      図１
2004271570.tif 000002
【特許請求の範囲】
【請求項１】
レリーズスイッチを含む複数の操作スイッチと、該操作スイッチからの操作入力を受けて各種設定と撮像とを制御する制御手段とを備えた撮像装置における撮像方法であって、
レリーズスイッチを含む所定の操作スイッチ以外の操作入力を受け付けない動作モードを有する、
ことを特徴とする撮像方法。
【請求項２】
レリーズスイッチとモード切替スイッチとを含む複数の操作スイッチと、該操作スイッチからの操作入力を受けて各種設定と撮像とを制御する制御手段とを備えた撮像装置における撮像方法であって、
レリーズスイッチとモード切替スイッチ以外の操作入力を受け付けない動作モードを有する、
ことを特徴とする撮像方法。
【請求項３】
レリーズスイッチを含む複数の操作スイッチと、該操作スイッチからの操作入力を受けて各種設定と撮像とを制御する制御手段とを備えた撮像装置における撮像方法であって、
長押しとレリーズスイッチ以外の操作入力を受け付けない動作モードを有する、
ことを特徴とする撮像方法。
【請求項４】
レリーズスイッチを含む複数の操作スイッチと、該操作スイッチからの操作入力を受けて各種設定と撮像とを制御する制御手段とを備えた撮像装置における撮像方法であって、
複数同時押下とレリーズスイッチ以外の操作入力を受け付けない動作モードを有する、
ことを特徴とする撮像方法。
【請求項５】
レリーズスイッチを含む複数の操作スイッチと、
該操作スイッチからの操作入力を受けて各種設定と撮像とを制御する制御手段と、を備え、
撮像した画像を記録媒体に記録する撮像装置であって、
前記制御手段は、レリーズスイッチを含む所定の操作スイッチ以外の操作入力を受け付けない動作モードを有する、
ことを特徴とする撮像装置。
【請求項６】
レリーズスイッチとモード切替スイッチとを含む複数の操作スイッチと、
該操作スイッチからの操作入力を受けて各種設定と撮像とを制御する制御手段と、を備え、
撮像した画像を記録媒体に記録する撮像装置であって、
前記制御手段は、レリーズスイッチとモード切替スイッチ以外の操作入力を受け付けない動作モードを有する、
ことを特徴とする撮像装置。
【請求項７】
レリーズスイッチを含む複数の操作スイッチと、
該操作スイッチからの操作入力を受けて各種設定と撮像とを制御する制御手段と、を備え、
撮像した画像を記録媒体に記録する撮像装置であって、
前記制御手段は、長押しとレリーズスイッチ以外の操作入力を受け付けない動作モードを有する、
ことを特徴とする撮像装置。
【請求項８】
レリーズスイッチを含む複数の操作スイッチと、
該操作スイッチからの操作入力を受けて各種設定と撮像とを制御する制御手段と、を備え、
撮像した画像を記録媒体に記録する撮像装置であって、
前記制御手段は、複数同時押下とレリーズスイッチ以外の操作入力を受け付けない動作モードを有する、
ことを特徴とする撮像装置。
【請求項９】
レリーズスイッチを含む複数の操作スイッチと、該操作スイッチからの操作入力を受けて各種設定と撮像とを制御する制御手段とを備えた撮像装置における撮像方法であって、
レリーズスイッチを含む複数の操作スイッチにレリーズの機能を割り当てた動作モードを有する、
ことを特徴とする撮像方法。
【請求項１０】
レリーズスイッチとモード切替スイッチとを含む複数の操作スイッチと、該操作スイッチからの操作入力を受けて各種設定と撮像とを制御する制御手段とを備えた撮像装置における撮像方法であって、
モード切替スイッチ以外の複数の操作スイッチにレリーズの機能を割り当てた動作モードを有する、
ことを特徴とする撮像方法。
【請求項１１】
レリーズスイッチとモード切替スイッチとを含む複数の操作スイッチと、該操作スイッチからの操作入力を受けて各種設定と撮像とを制御する制御手段とを備えた撮像装置における撮像方法であって、
所定の操作スイッチ以外の複数の操作スイッチにレリーズの機能を割り当てた動作モードを有する、
ことを特徴とする撮像方法。
【請求項１２】
レリーズスイッチを含む複数の操作スイッチと、該操作スイッチからの操作入力を受けて各種設定と撮像とを制御する制御手段とを備えた撮像装置における撮像方法であって、
長押し以外の操作に、レリーズの機能を割り当てた動作モードを有する、
ことを特徴とする撮像方法。
【請求項１３】
レリーズスイッチを含む複数の操作スイッチと、該操作スイッチからの操作入力を受けて各種設定と撮像とを制御する制御手段とを備えた撮像装置における撮像方法であって、
複数同時押下以外の操作に、レリーズの機能を割り当てた動作モードを有する、
ことを特徴とする撮像方法。
【請求項１４】
レリーズスイッチを含む複数の操作スイッチと、
該操作スイッチからの操作入力を受けて各種設定と撮像とを制御する制御手段と、を備え、撮像した画像を記録媒体に記録する撮像装置であって、
前記制御手段は、レリーズスイッチを含む複数の操作スイッチにレリーズの機能を割り当てた動作モードを有する、
ことを特徴とする撮像装置。
【請求項１５】
レリーズスイッチを含む複数の操作スイッチと、
該操作スイッチからの操作入力を受けて各種設定と撮像とを制御する制御手段と、を備え、撮像した画像を記録媒体に記録する撮像装置であって、
前記制御手段は、モード切替スイッチ以外の複数の操作スイッチにレリーズの機能を割り当てた動作モードを有する、
ことを特徴とする撮像装置。
【請求項１６】
レリーズスイッチを含む複数の操作スイッチと、
該操作スイッチからの操作入力を受けて各種設定と撮像とを制御する制御手段と、を備え、撮像した画像を記録媒体に記録する撮像装置であって、
前記制御手段は、所定の操作スイッチ以外の複数の操作スイッチにレリーズの機能を割り当てた動作モードを有する、
ことを特徴とする撮像装置。
【請求項１７】
レリーズスイッチを含む複数の操作スイッチと、
該操作スイッチからの操作入力を受けて各種設定と撮像とを制御する制御手段と、を備え、撮像した画像を記録媒体に記録する撮像装置であって、
前記制御手段は、長押し以外の操作に、レリーズの機能を割り当てた動作モードを有する、
ことを特徴とする撮像装置。
【請求項１８】
レリーズスイッチを含む複数の操作スイッチと、
該操作スイッチからの操作入力を受けて各種設定と撮像とを制御する制御手段と、を備え、撮像した画像を記録媒体に記録する撮像装置であって、
前記制御手段は、複数同時押下以外の操作に、レリーズの機能を割り当てた動作モードを有する、
ことを特徴とする撮像装置。
【請求項１９】
レリーズスイッチを含む複数の操作スイッチと、非接触入力を受け付ける非接触入力手段と、前記操作スイッチおよび前記非接触入力手段からの操作入力を受けて各種設定と撮像とを制御する制御手段とを備えた撮像装置における撮像方法であって、
非接触入力手段とレリーズスイッチ以外の操作入力を受け付けない動作モードを有する、
ことを特徴とする撮像方法。
【請求項２０】
レリーズスイッチを含む複数の操作スイッチと、非接触入力を受け付ける非接触入力手段と、前記操作スイッチおよび前記非接触入力手段からの操作入力を受けて各種設定と撮像とを制御する制御手段とを備えた撮像装置における撮像方法であって、
長押しと複数同時押下と非接触入力とのいずれか２つあるいは３つの任意の組み合わせ、あるいは、レリーズスイッチ以外の操作入力を受け付けない動作モードを有する、
ことを特徴とする撮像方法。
【請求項２１】
レリーズスイッチを含む複数の操作スイッチと、
非接触入力を受け付ける非接触入力手段と、
前記操作スイッチおよび前記非接触入力手段からの操作入力を受けて各種設定と撮像とを制御する制御手段と、を備え、
撮像した画像を記録媒体に記録する撮像装置であって、
前記制御手段は、非接触入力手段とレリーズスイッチ以外の操作入力を受け付けない動作モードを有する、
ことを特徴とする撮像装置。
【請求項２２】
レリーズスイッチを含む複数の操作スイッチと、
非接触入力を受け付ける非接触入力手段と、
前記操作スイッチおよび前記非接触入力手段からの操作入力を受けて各種設定と撮像とを制御する制御手段と、を備え、
撮像した画像を記録媒体に記録する撮像装置であって、
前記制御手段は、長押しと複数同時押下と非接触入力とのいずれか２つあるいは３つの任意の組み合わせ、あるいは、レリーズスイッチ以外の操作入力を受け付けない動作モードを有する、
ことを特徴とする撮像装置。
【請求項２３】
レリーズスイッチを含む複数の操作スイッチと、非接触入力を受け付ける非接触入力手段と、前記操作スイッチと前記非接触入力手段からの操作入力を受けて各種設定と撮像とを制御する制御手段とを備えた撮像装置における撮像方法であって、
前記非接触入力手段からの入力以外の操作に、レリーズの機能を割り当てた動作モードを有する、
ことを特徴とする撮像方法。
【請求項２４】
レリーズスイッチを含む複数の操作スイッチと、非接触入力を受け付ける非接触入力手段と、前記操作スイッチと前記非接触入力手段からの操作入力を受けて各種設定と撮像とを制御する制御手段とを備えた撮像装置における撮像方法であって、
長押しと複数同時押下と非接触入力とのいずれか２つあるいは３つの任意の組み合わせの操作以外の操作に、レリーズの機能を割り当てた動作モードを有する、
ことを特徴とする撮像方法。
【請求項２５】
レリーズスイッチを含む複数の操作スイッチと、
非接触入力を受け付ける非接触入力手段と、
前記操作スイッチおよび前記非接触入力手段からの操作入力を受けて各種設定と撮像とを制御する制御手段と、を備え、撮像した画像を記録媒体に記録する撮像装置であって、
前記制御手段は、前記非接触入力手段からの入力以外の操作に、レリーズの機能を割り当てた動作モードを有する、
ことを特徴とする撮像装置。
【請求項２６】
レリーズスイッチを含む複数の操作スイッチと、
非接触入力を受け付ける非接触入力手段と、
前記操作スイッチおよび前記非接触入力手段からの操作入力を受けて各種設定と撮像とを制御する制御手段と、を備え、撮像した画像を記録媒体に記録する撮像装置であって、
前記制御手段は、長押しと複数同時押下と非接触入力とのいずれか２つあるいは３つの任意の組み合わせの操作以外の操作に、レリーズの機能を割り当てた動作モードを有する、
ことを特徴とする撮像装置。
【発明の詳細な説明】
【０００１】
【発明の属する技術分野】
本発明はＣＣＤなどの撮像素子や銀塩フィルムなどの各種記録媒体を用いて撮像する撮影方法および撮像装置に関し、特に、確実な撮像を行うことが可能な撮影方法および撮像装置の改良に関する。
【０００２】
【従来の技術】
一般的なディジタルカメラやフィルム使用カメラのような撮像装置の場合、所定のフォーカスエリア（撮像範囲の中心部分など）について合焦情報を得て、該合焦情報に基づいて撮像光学系の少なくとも一部を駆動することで焦点調節を行い、撮像光学系により結像された被写体像を撮像するように構成されている。
【０００３】
なお、このような撮像装置における焦点調節については、以下に述べる特許文献１にも記載されている。
【０００４】
【特許文献１】
特開２００１−２４９３１号公報（第１頁、図１）
【０００５】
【発明が解決しようとする課題】
ところで、撮像装置の持ち主が第三者に撮影を依頼し、自分を写して貰うようなこともある。
【０００６】
このような場合、撮影を依頼された第三者は、使い慣れない撮像装置であるゆえ、レリーズスイッチを押下するだけの単純な撮影作業であるにもかかわらず、操作に戸惑うことがある。
【０００７】
このため、誤って電源スイッチを押して電源をオフしてしまう等の誤操作が発生したり、シャッターチャンスを逃したりする、という不具合が発生しやすい状況になっている。
【０００８】
本発明は以上の課題に鑑みてなされたものであって、第三者に撮影を依頼した際に、誤操作を招くことなく、確実な撮影を実行することが可能な撮影方法および撮像装置を実現することを目的とする。
【０００９】
【課題を解決するための手段】
すなわち、上記の課題を解決する本願発明は、以下のそれぞれに述べるようなものである。
【００１０】
（１）請求項１記載の発明は、レリーズスイッチを含む複数の操作スイッチと、該操作スイッチからの操作入力を受けて各種設定と撮像とを制御する制御手段とを備えた撮像装置における撮像方法であって、レリーズスイッチを含む所定の操作スイッチ以外の操作入力を受け付けない動作モードを有する、ことを特徴とする撮像方法である。
【００１１】
また、請求項５記載の発明は、レリーズスイッチを含む複数の操作スイッチと、該操作スイッチからの操作入力を受けて各種設定と撮像とを制御する制御手段と、を備え、撮像した画像を記録媒体に記録する撮像装置であって、前記制御手段は、レリーズスイッチを含む所定の操作スイッチ以外の操作入力を受け付けない動作モードを有する、ことを特徴とする撮像装置である。
【００１２】
この発明では、レリーズスイッチを含む所定の操作スイッチ以外の操作入力を受け付けない動作モードを有する。このため、第三者に撮影を依頼した際に、誤操作を招くことなく、確実な撮影を実行することが可能になる。
【００１３】
なお、以上の「所定の操作スイッチ」として、後述するモード切替スイッチ、いずれかのキーの長押し、いずれか複数キーの同時押下の他に、非接触入力手段（音声入力など）による入力も含まれるものとする。
【００１４】
（２）請求項２記載の発明は、レリーズスイッチとモード切替スイッチとを含む複数の操作スイッチと、該操作スイッチからの操作入力を受けて各種設定と撮像とを制御する制御手段とを備えた撮像装置における撮像方法であって、レリーズスイッチとモード切替スイッチ以外の操作入力を受け付けない動作モードを有する、ことを特徴とする撮像方法である。
【００１５】
また、請求項６記載の発明は、レリーズスイッチとモード切替スイッチとを含む複数の操作スイッチと、該操作スイッチからの操作入力を受けて各種設定と撮像とを制御する制御手段と、を備え、撮像した画像を記録媒体に記録する撮像装置であって、前記制御手段は、レリーズスイッチとモード切替スイッチ以外の操作入力を受け付けない動作モードを有する、ことを特徴とする撮像装置である。
【００１６】
この発明では、レリーズスイッチとモード切替スイッチ以外の操作入力を受け付けない動作モードを有する。このため、第三者に撮影を依頼した際に、誤操作を招くことなく、確実な撮影を実行することが可能になる。
【００１７】
（３）請求項３記載の発明は、レリーズスイッチを含む複数の操作スイッチと、該操作スイッチからの操作入力を受けて各種設定と撮像とを制御する制御手段とを備えた撮像装置における撮像方法であって、長押しとレリーズスイッチ以外の操作入力を受け付けない動作モードを有する、ことを特徴とする撮像方法である。
【００１８】
また、請求項７記載の発明は、レリーズスイッチを含む複数の操作スイッチと、該操作スイッチからの操作入力を受けて各種設定と撮像とを制御する制御手段と、を備え、撮像した画像を記録媒体に記録する撮像装置であって、前記制御手段は、長押しとレリーズスイッチ以外の操作入力を受け付けない動作モードを有する、ことを特徴とする撮像装置である。
【００１９】
この発明では、レリーズスイッチを含む複数の操作スイッチ、長押しとレリーズスイッチ以外の操作入力を受け付けない動作モードを有する。このため、第三者に撮影を依頼した際に、誤操作を招くことなく、確実な撮影を実行することが可能になる。
【００２０】
（４）請求項４記載の発明は、レリーズスイッチを含む複数の操作スイッチと、該操作スイッチからの操作入力を受けて各種設定と撮像とを制御する制御手段とを備えた撮像装置における撮像方法であって、複数同時押下とレリーズスイッチ以外の操作入力を受け付けない動作モードを有する、ことを特徴とする撮像方法である。
【００２１】
また、請求項８記載の発明は、レリーズスイッチを含む複数の操作スイッチと、該操作スイッチからの操作入力を受けて各種設定と撮像とを制御する制御手段と、を備え、撮像した画像を記録媒体に記録する撮像装置であって、前記制御手段は、複数同時押下とレリーズスイッチ以外の操作入力を受け付けない動作モードを有する、ことを特徴とする撮像装置である。
【００２２】
この発明では、レリーズスイッチを含む複数の操作スイッチ、複数同時押下とレリーズスイッチ以外の操作入力を受け付けない動作モードを有する。このため、第三者に撮影を依頼した際に、誤操作を招くことなく、確実な撮影を実行することが可能になる。
【００２３】
（５）請求項９記載の発明は、レリーズスイッチを含む複数の操作スイッチと、該操作スイッチからの操作入力を受けて各種設定と撮像とを制御する制御手段とを備えた撮像装置における撮像方法であって、レリーズスイッチを含む複数の操作スイッチにレリーズの機能を割り当てた動作モードを有する、ことを特徴とする撮像方法である。
【００２４】
また、請求項１４記載の発明は、レリーズスイッチを含む複数の操作スイッチと、該操作スイッチからの操作入力を受けて各種設定と撮像とを制御する制御手段と、を備え、撮像した画像を記録媒体に記録する撮像装置であって、前記制御手段は、レリーズスイッチを含む複数の操作スイッチにレリーズの機能を割り当てた動作モードを有する、ことを特徴とする撮像装置である。
【００２５】
この発明では、レリーズスイッチを含む複数の操作スイッチにレリーズの機能を割り当てた動作モードを有する。このため、第三者に撮影を依頼した際に、誤操作を招くことなく、確実な撮影を実行することが可能になる。
【００２６】
（６）請求項１０記載の発明は、レリーズスイッチとモード切替スイッチとを含む複数の操作スイッチと、該操作スイッチからの操作入力を受けて各種設定と撮像とを制御する制御手段とを備えた撮像装置における撮像方法であって、モード切替スイッチ以外の複数の操作スイッチにレリーズの機能を割り当てた動作モードを有する、ことを特徴とする撮像方法である。
【００２７】
また、請求項１５記載の発明は、レリーズスイッチを含む複数の操作スイッチと、該操作スイッチからの操作入力を受けて各種設定と撮像とを制御する制御手段と、を備え、撮像した画像を記録媒体に記録する撮像装置であって、前記制御手段は、モード切替スイッチ以外の複数の操作スイッチにレリーズの機能を割り当てた動作モードを有する、ことを特徴とする撮像装置である。
【００２８】
この発明では、、モード切替スイッチ以外の複数の操作スイッチにレリーズの機能を割り当てた動作モードを有する。このため、第三者に撮影を依頼した際に、誤操作を招くことなく、確実な撮影を実行することが可能になる。
【００２９】
（７）請求項１１記載の発明は、レリーズスイッチとモード切替スイッチとを含む複数の操作スイッチと、該操作スイッチからの操作入力を受けて各種設定と撮像とを制御する制御手段とを備えた撮像装置における撮像方法であって、所定の操作スイッチ以外の複数の操作スイッチにレリーズの機能を割り当てた動作モードを有する、ことを特徴とする撮像方法である。
【００３０】
また、請求項１６記載の発明は、レリーズスイッチを含む複数の操作スイッチと、該操作スイッチからの操作入力を受けて各種設定と撮像とを制御する制御手段と、を備え、撮像した画像を記録媒体に記録する撮像装置であって、前記制御手段は、所定の操作スイッチ以外の複数の操作スイッチにレリーズの機能を割り当てた動作モードを有する、ことを特徴とする撮像装置である。
【００３１】
この発明では、、所定の操作スイッチ以外の複数の操作スイッチにレリーズの機能を割り当てた動作モードを有する。このため、第三者に撮影を依頼した際に、誤操作を招くことなく、確実な撮影を実行することが可能になる。
【００３２】
（８）請求項１２記載の発明は、レリーズスイッチを含む複数の操作スイッチと、該操作スイッチからの操作入力を受けて各種設定と撮像とを制御する制御手段とを備えた撮像装置における撮像方法であって、長押し以外の操作に、レリーズの機能を割り当てた動作モードを有する、ことを特徴とする撮像方法である。
【００３３】
また、請求項１７記載の発明は、レリーズスイッチを含む複数の操作スイッチと、該操作スイッチからの操作入力を受けて各種設定と撮像とを制御する制御手段と、を備え、撮像した画像を記録媒体に記録する撮像装置であって、前記制御手段は、長押し以外の操作に、レリーズの機能を割り当てた動作モードを有する、ことを特徴とする撮像装置である。
【００３４】
この発明では、レリーズスイッチを含む複数の操作スイッチ、長押し以外の操作に、レリーズの機能を割り当てた動作モードを有する。このため、第三者に撮影を依頼した際に、誤操作を招くことなく、確実な撮影を実行することが可能になる。
【００３５】
（９）請求項１３記載の発明は、レリーズスイッチを含む複数の操作スイッチと、該操作スイッチからの操作入力を受けて各種設定と撮像とを制御する制御手段とを備えた撮像装置における撮像方法であって、複数同時押下以外の操作に、レリーズの機能を割り当てた動作モードを有する、ことを特徴とする撮像方法である。
【００３６】
また、請求項１８記載の発明は、レリーズスイッチを含む複数の操作スイッチと、該操作スイッチからの操作入力を受けて各種設定と撮像とを制御する制御手段と、を備え、撮像した画像を記録媒体に記録する撮像装置であって、前記制御手段は、複数同時押下以外の操作に、レリーズの機能を割り当てた動作モードを有する、ことを特徴とする撮像装置である。
【００３７】
この発明では、レリーズスイッチを含む複数の操作スイッチ、複数同時押下以外の操作に、レリーズの機能を割り当てた動作モードを有する。このため、第三者に撮影を依頼した際に、誤操作を招くことなく、確実な撮影を実行することが可能になる。
【００３８】
（１０）請求項１９記載の発明は、レリーズスイッチを含む複数の操作スイッチと、非接触入力を受け付ける非接触入力手段と、前記操作スイッチおよび前記非接触入力手段からの操作入力を受けて各種設定と撮像とを制御する制御手段とを備えた撮像装置における撮像方法であって、非接触入力手段とレリーズスイッチ以外の操作入力を受け付けない動作モードを有する、ことを特徴とする撮像方法である。
【００３９】
また、請求項２１記載の発明は、レリーズスイッチを含む複数の操作スイッチと、非接触入力を受け付ける非接触入力手段と、前記操作スイッチおよび前記非接触入力手段からの操作入力を受けて各種設定と撮像とを制御する制御手段と、を備え、撮像した画像を記録媒体に記録する撮像装置であって、前記制御手段は、非接触入力手段とレリーズスイッチ以外の操作入力を受け付けない動作モードを有する、ことを特徴とする撮像装置である。
【００４０】
この発明では、非接触入力手段とレリーズスイッチ以外の操作入力を受け付けない動作モードを有する。このため、第三者に撮影を依頼した際に、誤操作を招くことなく、確実な撮影を実行することが可能になる。
【００４１】
（１１）請求項２０記載の発明は、レリーズスイッチを含む複数の操作スイッチと、非接触入力を受け付ける非接触入力手段と、前記操作スイッチおよび前記非接触入力手段からの操作入力を受けて各種設定と撮像とを制御する制御手段とを備えた撮像装置における撮像方法であって、長押しと複数同時押下と非接触入力とのいずれか２つあるいは３つの任意の組み合わせ、あるいは、レリーズスイッチ以外の操作入力を受け付けない動作モードを有する、ことを特徴とする撮像方法である。
【００４２】
また、請求項２２記載の発明は、レリーズスイッチを含む複数の操作スイッチと、非接触入力を受け付ける非接触入力手段と、前記操作スイッチおよび前記非接触入力手段からの操作入力を受けて各種設定と撮像とを制御する制御手段と、を備え、撮像した画像を記録媒体に記録する撮像装置であって、前記制御手段は、長押しと複数同時押下と非接触入力とのいずれか２つあるいは３つの任意の組み合わせ、あるいは、レリーズスイッチ以外の操作入力を受け付けない動作モードを有する、ことを特徴とする撮像装置である。
【００４３】
この発明では、長押しと複数同時押下と非接触入力とのいずれか２つあるいは３つの任意の組み合わせ、あるいは、レリーズスイッチ以外の操作入力を受け付けない動作モードを有する。このため、第三者に撮影を依頼した際に、誤操作を招くことなく、確実な撮影を実行することが可能になる。
【００４４】
（１２）請求項２３記載の発明は、レリーズスイッチを含む複数の操作スイッチと、非接触入力を受け付ける非接触入力手段と、前記操作スイッチと前記非接触入力手段からの操作入力を受けて各種設定と撮像とを制御する制御手段とを備えた撮像装置における撮像方法であって、前記非接触入力手段からの入力以外の操作に、レリーズの機能を割り当てた動作モードを有する、ことを特徴とする撮像方法である。
【００４５】
また、請求項２５記載の発明は、レリーズスイッチを含む複数の操作スイッチと、非接触入力を受け付ける非接触入力手段と、前記操作スイッチおよび前記非接触入力手段からの操作入力を受けて各種設定と撮像とを制御する制御手段と、を備え、撮像した画像を記録媒体に記録する撮像装置であって、前記制御手段は、前記非接触入力手段からの入力以外の操作に、レリーズの機能を割り当てた動作モードを有する、ことを特徴とする撮像装置である。
【００４６】
この発明では、非接触入力手段からの入力以外の操作に、レリーズの機能を割り当てた動作モードを有する。このため、第三者に撮影を依頼した際に、誤操作を招くことなく、確実な撮影を実行することが可能になる。
【００４７】
（１３）請求項２４記載の発明は、レリーズスイッチを含む複数の操作スイッチと、非接触入力を受け付ける非接触入力手段と、前記操作スイッチと前記非接触入力手段からの操作入力を受けて各種設定と撮像とを制御する制御手段とを備えた撮像装置における撮像方法であって、長押しと複数同時押下と非接触入力とのいずれか２つあるいは３つの任意の組み合わせの操作以外の操作に、レリーズの機能を割り当てた動作モードを有する、ことを特徴とする撮像方法である。
【００４８】
また、請求項２６記載の発明は、レリーズスイッチを含む複数の操作スイッチと、非接触入力を受け付ける非接触入力手段と、前記操作スイッチおよび前記非接触入力手段からの操作入力を受けて各種設定と撮像とを制御する制御手段と、を備え、撮像した画像を記録媒体に記録する撮像装置であって、前記制御手段は、長押しと複数同時押下と非接触入力とのいずれか２つあるいは３つの任意の組み合わせの操作以外の操作に、レリーズの機能を割り当てた動作モードを有する、ことを特徴とする撮像装置である。
【００４９】
この発明では、長押しと複数同時押下と非接触入力とのいずれか２つあるいは３つの任意の組み合わせの操作以外の操作に、レリーズの機能を割り当てた動作モードを有する。このため、第三者に撮影を依頼した際に、誤操作を招くことなく、確実な撮影を実行することが可能になる。
【００５０】
【発明の実施の形態】
以下、図面を参照して本発明の実施の形態例を詳細に説明する。
【００５１】
図１は本発明の実施の形態例である撮像方法および撮像装置について、ディジタルカメラ１００に適用した場合の電気的な主要部分の構成図である。なお、図３はディジタルカメラ１００の外観構成を示す説明図である。
【００５２】
まず、図３（ａ）と図３（ｂ）と図３（ｃ）とを参照して、ディジタルカメラ１００について簡単に説明する。ディジタルカメラ１００の正面には被写体を撮像するための撮像部１０２と、撮影対象にＡＦ補助光を照射する補助光発光部１２２と、撮影範囲を見定めるためのファインダ１２５と、が設けられている。また、背面において、撮影画像等を確認するための表示を行う画像表示部１０８と、撮影設定状況などを表示する表示部１２６と、各種機能の設定や切替を操作するための操作スイッチ１２１と、が設けられている。
【００５３】
なお、操作スイッチ１２１として、上面には、レリーズを操作するためのレリーズスイッチ１２１ａと、動作モードを切り替えるためのモードスイッチ１２１ｂとが設けられている。また、背面には、メニュー画面を呼び出すためのメニュースイッチ１２１ｃと、メニュー画面で各選択肢を選択するためのセレクトスイッチ１２１ｄと、メニュー画面で選択した選択肢を決定するためのセットスイッチ１２１ｅと、画像表示部１０８の表示／非表示を切り換えるためのＬＣＤ表示スイッチ１２１ｆと、が設けられている。また、依頼モードに切り替える専用の依頼モードスイッチ１２１ｇも設けられている（図３（ｃ）参照）。なお、図面では各種スイッチをＳＷと記載している。
【００５４】
また、図１において、１０１はディジタルカメラ１００の各部を制御する制御手段としてのＣＰＵである。このＣＰＵ１０１は、後述するＥＥＰＲＯＭに格納されているアプリケーションプログラムに基づいて撮像処理を実行する。
【００５５】
また、ＣＰＵ１０１は、ディジタルカメラ１００の動作モードとして、以下のモードのいずれか一つまたは複数を有することを特徴とする。
【００５６】
［第１モード］
１−１：レリーズスイッチ１２１ａを含む所定の操作スイッチ以外の操作入力を受け付けない動作モード。
１−２：レリーズスイッチ１２１ａとモードスイッチ１２１ｂ以外の操作入力を受け付けない動作モード。
１−３：長押しとレリーズスイッチ１２１ａ以外の操作入力を受け付けない動作モード。
１−４：複数同時押下とレリーズスイッチ１２１ａ以外の操作入力を受け付けない動作モード。
１−５：レリーズスイッチ１２１ａの操作と音声入力等の非接触入力以外の操作入力を受け付けない動作モード。
１−６：長押しと複数同時押下と非接触入力とのいずれか２つあるいは３つの任意の組み合わせの操作、あるいは、レリーズスイッチの操作、のいずれか以外の操作入力を受け付けない動作モード。
【００５７】
［第２モード］
２−１：レリーズスイッチ１２１ａを含む複数の操作スイッチにレリーズの機能を割り当てた動作モード。
２−２：モードスイッチ１２１ｂ以外の複数の操作スイッチにレリーズの機能を割り当てた動作モード。
２−３：所定の操作スイッチ以外の複数の操作スイッチにレリーズの機能を割り当てた動作モード。
２−４：長押し以外の操作に、レリーズの機能を割り当てた動作モード。
２−５：複数同時押下以外の操作に、レリーズの機能を割り当てた動作モード。
２−６：長押しと複数同時押下と非接触入力とのいずれか２つあるいは３つの任意の組み合わせの操作以外の操作に、レリーズの機能を割り当てた動作モード。
【００５８】
また、１０２は、レンズユニット１０２ａ、絞り１０２ｂ、ＣＣＤ１０２ｃからなり、被写体像の撮像を行う撮像部である。なお、レンズユニット１０２ａと絞り１０２ｂとで撮像光学系を構成している。
【００５９】
１０４はＣＣＤ１０２ｃからの読み出し信号に各種処理を行って画像信号を生成する撮像回路である。なお、ＣＣＤ１０２ｃと撮像回路１０４とで撮像手段を構成している。１０５はＡ−Ｄ変換回路であり、アナログの画像信号をディジタルの画像信号に変換する。このＡ−Ｄ変換回路１０５は、ディジタルの画像信号をメモリ１０６とＡＥ・ＡＦ処理回路１１３に出力する。
【００６０】
１０６は画像信号を一時的に保管する作業用のメモリであり、画像表示や画像記録の直前の画像信号が蓄積される。
【００６１】
１０７はメモリ１０６に蓄積された画像信号を画像表示のためにアナログの画像信号にＤ−Ａ変換するＤ−Ａ変換回路である。１０８は液晶表示パネルなどで構成された画像表示部であり、Ｄ−Ａ変換回路１０７からの画像信号を表示する。なお、表示は撮像する画像に限らず、各種設定のためのテキスト画面であってもよい。
【００６２】
１０９は撮像された画像が記録される記録用メモリであり、ディジタルカメラ１００に使用可能な各種のメモリカードなどが該当する。この記録用メモリ１０９は、ディジタルカメラ１００に挿抜可能な形式のものでもよいし、ディジタルカメラ１００に内蔵されたままの形式のものでもよい。
【００６３】
１１０はメモリ１０９に対して記録する圧縮画像信号を生成するための圧縮処理や、メモリ１０９から圧縮画像信号を読み出して画像信号に戻すための伸長処理を行う圧縮伸長回路である。
【００６４】
１１２は撮像のための所定のタイミング信号を生成するタイミング・ジェネレータ（ＴＧ）である。ＴＧ１１２が生成したタイミング信号は、ＣＰＵ１０１，撮像回路１０４，ＣＣＤドライバ１１４などに供給される。
【００６５】
１１３はＡＥ・ＡＦ処理回路であり、適正な露出条件を求めるＡＥ（Ａｕｔｏ  Ｅｘｐｏｓｕｒｅ：自動露出制御）処理と、合焦のためのＡＦ（Ａｕｔｏ  Ｆｏｃｕｓ：自動焦点制御）処理とを実行し、演算結果をＣＰＵ１０１に伝達する。ＣＰＵ１０１は、このＡＥの演算結果に基づいて絞り１０２ｂを制御し、このＡＦの演算結果に基づいてレンズユニット１０２ａを制御する。
【００６６】
なお、このＡＥ・ＡＦ処理回路１１３は、所定のフォーカスエリア（画面の中心部分など）について、被写体像を合焦させるための合焦情報を得るようにしており、焦点制御手段を構成している。
【００６７】
１１４はＴＧ１２からのタイミング信号を用いてＣＣＤ１０２ｃを駆動しているＣＣＤドライバであり、ＣＰＵ１０１からの指示に基づいた電荷蓄積時間となるような制御を行う。
【００６８】
１１５は絞り１０２ｂの露出制御をするための第１モータ（第１Ｍ）、１１６は第１Ｍ１１５を駆動するための第１モータ駆動回路である。この第１モータ駆動回路１１６は、ＡＥ・ＡＦ処理回路１１３からのＡＥ演算結果に基づいてＣＰＵ１０１が制御する。
【００６９】
１１７はレンズユニット１０２ａの合焦制御をするための第２モータ（第２Ｍ）、１１８は第２Ｍ１１７を駆動するための第２モータ駆動回路である。この第２モータ駆動回路１１８は、ＡＥ・ＡＦ処理回路１１３からのＡＦ演算結果に基づいてＣＰＵ１０１が制御する。
【００７０】
１１９はディジタルカメラ１００各部に必要な電力を供給する電池であり、必要に応じて図示されない安定化回路や昇圧回路等を介して各部に安定した電圧の電力を供給している。
【００７１】
１２０はＣＰＵ１０１がディジタルカメラ１００の各部を制御するためのアプリケーションプログラムと各種データとが格納された記憶手段としてのＥＥＰＲＯＭである。
【００７２】
１２１は各種スイッチが設けられた操作スイッチである。この奏さす一致１２１としては、レリーズを操作するためのレリーズスイッチ１２１ａ、動作モードを切り替えるためのモードスイッチ１２１ｂ、メニュー画面を呼び出すためのメニュースイッチ１２１ｃ、メニュー画面で各選択肢を選択するためのセレクトスイッチ１２１ｄ、メニュー画面で選択した選択肢を決定するためのセットスイッチ１２１ｅ、画像表示部１０８の表示／非表示を切り換えるためのＬＣＤ表示スイッチ１２１ｆなどを含んで構成されている。なお、操作スイッチ１２１に含まれる各種スイッチの具体例は、ここに示したものに限定されるものではない。
【００７３】
この操作スイッチ１２１の操作結果はＣＰＵ１０１に伝達される。なお、レリーズスイッチ１２１ａは、２段階に押下できるように構成されており、第１段目がＡＥ・ＡＦ処理のためのレリーズＳ１、第２段目が実際の撮影のためのレリーズＳ２となっている。
【００７４】
１２２は撮影時の輝度不足の際に、被写体に対して補助光（ＡＦ補助光やストロボ光）を照射する補助光発光部であり、スイッチング回路１２３により発光タイミングや発光量が制御されている。
【００７５】
なお、本実施の形態例のディジタルカメラ１００のＥＥＰＲＯＭ１２０には、上述したような動作モードを実現するための制御プログラムが予め記憶されている。
【００７６】
〈第一の実施の形態例の動作〉
以下、図２のフローチャートを参照して、第一の実施の形態例のディジタルカメラ１００の動作について、特徴部分を中心に説明する。
【００７７】
まず、ディジタルカメラ１００の所有者は、使用に際してモード設定を行う（図２ステップ１）。なお、通常モードで使用する場合には（図２ステップ１で「通常」、ステップ３）、特別なモード設定などは必要としない。撮影を他人に依頼する場合は、その依頼前に、他人依頼モードに設定を行う（図２ステップ１で「他人依頼」）。通常モードでの使用は、ここでは説明を省略する。
【００７８】
ディジタルカメラ１００が所有者によって他人依頼モードに設定されている（図２ステップ１で「他人依頼」）とすると、ＣＰＵ１０１は操作スイッチ１２１の操作状態を監視している（図２ステップ２）。
【００７９】
ここで、操作スイッチ１２１の何らかの操作があった場合には、ＣＰＵ１０１は、その操作が、モード切替の操作であるか（図２ステップ２でＹの「モード切替」）、レリーズスイッチ１２１ａであるか（図２ステップ２でＹの「レリーズ」）、その他の操作であるか（図２ステップ２でＹの「その他」）、を調べる。
【００８０】
図２において、ステップ２の判断分岐の「操作」「Ｙ」の下に記載されている「・モード切替」，「・レリーズ」，「・その他」は、操作ＳＷ１２１での操作内容についてのＣＰＵ１０１判断結果を示している。
【００８１】
なお、モード切替に割り当てられた操作としては、
（Ａ）基本例：
・ダイアルスイッチ等のモード切替スイッチで他人依頼モード切替を行う。
（Ｂ）第２例：
・モード切替専用スイッチが単独に存在してもよい（但し、押下操作の場合は、入力は短押し、もしくは誤動作防止とするため長押し、とする）。
（Ｃ）第３例：
・モード切替は、他のスイッチが兼ねてもよい（レリーズスイッチ（Ｓ１またはＳ２）等の長押し、あるいは、複数スイッチの同時押下）。
（Ｄ）第４例：
・モード切替は音声入力等の非接触入力でも行う。
（Ｅ）第５例：
上述した（Ａ）基本例〜（Ｄ）第４例までの４つの例のうちの、いずれか任意の２つ乃至４つを組み合わせた状態。
などが考えられる。
【００８２】
ここで、ＣＰＵ１０１は、なされた操作がレリーズスイッチ１２１ａの第１段目（Ｓ１）である場合（図２ステップ２でＹの「レリーズ」）、そのレリーズスイッチ１２１ａの押下が通常の短押しであるかを調べる。ここで、短押しとは、所定時間（たとえば５秒）未満の押下であって、撮影のためのレリーズ操作と認められるようなものをいう。所定時間以上の押下については、「長押し」として後述する別の操作として扱う。
【００８３】
そして、なされた操作がレリーズスイッチ１２１ａの短押しであれば（図２ステップ２でＹの「レリーズ」）、ＣＰＵ１０１は、通常の撮影を実行する（図２ステップ４）。
【００８４】
この場合、所定のフォーカスエリアについてＡＥ・ＡＦ処理回路１１３にて合焦情報を得て、ＣＰＵ１０１の制御により、該合焦情報に基づいてレンズユニット１０２ａの少なくとも一部を駆動することで焦点調節を行い、これによりＣＣＤ１０２ｃに結像された被写体像を撮像する。
【００８５】
実際には、ここで、ＣＰＵ１０１は撮影時にはレリーズスイッチ１２１ａの押下状態を監視しており、レリーズスイッチ１２１ａの第１段目（レリーズＳ１）が押下されたことを確認したら、ＡＥ・ＡＦ処理回路１１３に測距と測光とを行わせる。そして、レリーズスイッチ１２１ａの第２段目（レリーズＳ２）が押下されたことを確認したら、ＣＰＵ１０１は、ＡＦ演算結果に基づいてレンズユニット１０２ａを駆動して、撮像を行ってＣＣＤ１０２ｃから読み出した読み出し信号を画像信号に変換してメモリ１０６に蓄積する。さらに、メモリ１０６に蓄積した画像信号を圧縮伸長回路１１０によって圧縮画像信号に変換したうえで、記録用メモリに記録する。
【００８６】
また、操作スイッチ１２１の何らかの操作があったが、その操作がレリーズスイッチ１２１ａの第１段目（Ｓ１）の短押し（図２ステップ２でＹの「レリーズ」）でない場合、ＣＰＵ１０１は、以下の処理を実行する。
【００８７】
すなわち、ＣＰＵ１０１の監視により、操作が前述したモード切替に該当する場合（図２ステップ２でＹの「モード切替」）、他人依頼モードから通常モードへのモード切替であるとして、ＣＰＵ１０１はモード切替を実行する。
【００８８】
なお、ＣＰＵ１０１の監視により、操作がレリーズでもなく、モード切替にも該当しない場合（図２ステップ２でＹの「その他」）、ＣＰＵ１０１はスイッチの操作を一切無視する（図２ステップ２に戻る）。この場合、ディジタルカメラ１００の操作を依頼された者による誤操作と考えられるからである。
【００８９】
以上のようにすることで、第三者に撮影を依頼した際に、誤操作を招くことなく、確実な撮影を実行することが可能になる。また、誤操作によって、状態が変更されてしまったり、それによって、その直後に撮影ができなくなる等の不具合が発生しにくくなる。
【００９０】
なお、この実施の形態例においては、スイッチの割り当てを以下のようにすることができる。ここで、所定の操作スイッチとは、ＣＰＵ１０１が操作を無視しないスイッチのことである。
・所定の操作スイッチ＝レリーズスイッチ１２１ａとモードスイッチ１２１ｂ；モード切替はモードスイッチ１２１ｂ。
・所定の操作スイッチ＝レリーズスイッチ１２１ａと依頼モードスイッチ１２１ｇ；モード切替は依頼モードスイッチ１２１ｇ。
・所定の操作スイッチ＝レリーズスイッチ１２１ａ；モード切替はレリーズスイッチ１２１ａの長押し。
・所定の操作スイッチ＝レリーズスイッチ１２１ａとモードスイッチ１２１ｂ以外の操作スイッチ；モード切替は割り当てられた操作スイッチの長押し。
・所定の操作スイッチ＝レリーズスイッチ１２１ａとモードスイッチ１２１ｂ以外の複数の操作スイッチ；モード切替は割り当てられた複数の操作スイッチの同時押下。
・所定の操作スイッチ＝レリーズスイッチ１２１ａ；モード切替は音声入力。
【００９１】
〈第二の実施の形態例の動作〉
つぎに、図４のフローチャートを参照して、本願発明の第二の実施の形態例のディジタルカメラ１００の動作について、特徴部分を中心に説明する。
【００９２】
まず、ディジタルカメラ１００の所有者は、使用に際してモード設定を行う（図４ステップ１）。
【００９３】
なお、通常モードで使用する場合には（図４ステップ１で「通常」、ステップ３）、特別なモード設定などは必要としない。撮影を他人に依頼する場合は、その依頼前に、他人依頼モードに設定を行う（図２ステップ１で「他人依頼」）。なお、通常モードでの使用は、ここでは説明を省略する。
【００９４】
ディジタルカメラ１００が所有者によって他人依頼モードに設定されている（図４ステップ１で「他人依頼」）とすると、ＣＰＵ１０１は操作スイッチ１２１の操作状態を監視している（図４ステップ２）。
【００９５】
ここで、操作スイッチ１２１の何らかの操作があった場合には、ＣＰＵ１０１は、その操作が、モード切替の操作であるか（図４ステップ２でＹの「モード切替」）、その他の操作であるか（図４ステップ２でＹの「その他」）、を調べる。
【００９６】
図４において、ステップ２の判断分岐の「操作」「Ｙ」の下に記載されている「・モード切替」，「・その他」は、操作ＳＷ１２１での操作内容についてのＣＰＵ１０１判断結果を示している。
【００９７】
なお、モード切替に割り当てられた操作としては、
（ａ）基本例：
・ダイアルスイッチ等のモード切替スイッチで他人依頼モード切替を行う。
（ｂ）第２例：
・モード切替専用スイッチが単独に存在してもよい（但し、押下操作の場合は、入力は短押し、もしくは誤動作防止とするため長押し、とする）。
（ｃ）第３例：
・モード切替は、他のスイッチが兼ねてもよい（レリーズスイッチ（Ｓ１またはＳ２）等の長押し、あるいは、複数スイッチの同時押下）。
（ｄ）第４例：
・モード切替は音声入力等の非接触入力でも行う。
（ｅ）第５例：
上述した（ａ）基本例〜（ｄ）第４例までの４つの例のうちの、いずれか任意の２つ乃至４つを組み合わせた状態。
などが考えられる。
【００９８】
ここで、ＣＰＵ１０１は、なされた操作が以上の▲１▼〜▲６▼に該当するモード切替である場合（図４ステップ２でＹの「モード切替」）、他人依頼モードから通常モードへのモード切替であるとして、ＣＰＵ１０１はモード切替を実行する。
【００９９】
ここで、ＣＰＵ１０１は、なされた操作が以上の▲１▼〜▲６▼のモード切替のいずれにも該当しない場合（図４ステップ２でＹの「その他」）、ＣＰＵ１０１は、通常の撮影を実行する（図４ステップ４）。
【０１００】
この場合、所定のフォーカスエリアについてＡＥ・ＡＦ処理回路１１３にて合焦情報を得て、ＣＰＵ１０１の制御により、該合焦情報に基づいてレンズユニット１０２ａの少なくとも一部を駆動することで焦点調節を行い、これによりＣＣＤ１０２ｃに結像された被写体像を撮像する。
【０１０１】
この場合の「その他」の操作がレリーズスイッチ１２１ａであった場合には、ＣＰＵ１０１は、レリーズスイッチ１２１ａの第１段目（レリーズＳ１）が押下されたことを確認したら、ＡＥ・ＡＦ処理回路１１３に測距と測光とを行わせる。そして、レリーズスイッチ１２１ａの第２段目（レリーズＳ２）が押下されたことを確認したら、ＣＰＵ１０１は、ＡＦ演算結果に基づいてレンズユニット１０２ａを駆動して、撮像を行ってＣＣＤ１０２ｃから読み出した読み出し信号を画像信号に変換してメモリ１０６に蓄積する。さらに、メモリ１０６に蓄積した画像信号を圧縮伸長回路１１０によって圧縮画像信号に変換したうえで、記録用メモリに記録する。
【０１０２】
また、この場合の「その他」の操作がレリーズスイッチ１２１ａ以外の各種操作であった場合、この場合にはＳ１・Ｓ２のような２段階スイッチではないが、ＣＰＵ１０１は、ＡＥ・ＡＦ処理回路１１３に測距と測光とを行わせ、ＡＦ演算結果に基づいてレンズユニット１０２ａを駆動して、撮像を行ってＣＣＤ１０２ｃから読み出した読み出し信号を画像信号に変換してメモリ１０６に蓄積する。
【０１０３】
または、他人依頼モード設定時点で、ＣＰＵ１０１は、ＡＥ・ＡＦ処理回路１１３に測距と測光とを行わせる等、撮影の準備をスイッチの押下に先行して開始させ、スイッチの押下がレリーズスイッチの第２段目（Ｓ２）に該当するようにしてもよい。このようにすることで、レリーズスイッチの半押し（Ｓ１）をしなくて済むようになるため、撮影の失敗をする確率が低下する。
【０１０４】
さらに、メモリ１０６に蓄積した画像信号を圧縮伸長回路１１０によって圧縮画像信号に変換したうえで、記録用メモリに記録する。
【０１０５】
すなわち、操作がモード切替以外の場合、ＣＰＵ１０１はこれら各種のスイッチ操作を、すべてレリーズスイッチ１２１ａと同等に扱って撮影を実行する。この場合、ディジタルカメラ１００の操作を依頼された者による、レリーズスイッチ１２１ａと他のスイッチとの押し間違いによる誤操作と考えられるからである。
【０１０６】
以上のようにすることで、第三者に撮影を依頼した際に、誤操作を招くことなく、確実な撮影を実行することが可能になる。また、誤操作によって、状態が変更されてしまったり、それによって、その直後に撮影ができなくなる等の不具合が発生しにくくなる。
【０１０７】
また、以上のようにすることで、第三者に撮影を依頼した際に、誤操作を招くことなく、確実な撮影を実行することが可能になって、シャッタチャンスを逃すこともなくなる。
【０１０８】
なお、この実施の形態例においては、スイッチの割り当てを以下のようにすることができる。
・レリーズ機能割り当て操作スイッチ＝モードスイッチ１２１ｂ以外の全ての操作スイッチ；モード切替はモードスイッチ１２１ｂ。
・レリーズ機能割り当て操作スイッチ＝依頼モードスイッチ１２１ｇ以外の全ての操作スイッチ；モード切替は依頼モードスイッチ１２１ｇ（短押しあるいは長押しのいずれか）。
・レリーズ機能割り当て操作スイッチ＝いずれか一つ以外の全ての操作スイッチ；モード切替は定められた操作スイッチの長押し。
・レリーズ機能割り当て操作スイッチ＝予め定められた複数の操作スイッチ長押し以外の全ての操作スイッチ；モード切替は予め定められた複数の操作スイッチの同時押下。
・レリーズ機能割り当て操作スイッチ＝全ての操作スイッチ；モード切替はレリーズスイッチ１２１ａの長押し。
・レリーズ機能割り当て操作スイッチ＝全ての操作スイッチ；モード切替はいずれか複数のスイッチの同時押下。
・レリーズ機能割り当て操作スイッチ＝全ての操作スイッチ；モード切替は音声入力。
【０１０９】
〈その他の実施の形態例の動作〉
以上の実施の形態例では、ディジタルカメラを撮像装置の具体例にして説明してきたが、これに限定されるものではない。たとえば、銀塩フィルムを使用したフィルムカメラや、静止画撮影モードにおけるビデオカメラなどの各種撮影機器にも、以上のそれぞれの実施の形態例を適用することで良好な結果を得ることが可能である。
【０１１０】
【発明の効果】
以上、説明したように、本発明では、以下のような効果が得られる。
【０１１１】
（１）第１の発明では、レリーズスイッチを含む所定の操作スイッチ以外の操作入力を受け付けない動作モードを有する。以上のようにすることで、第三者に撮影を依頼した際に、誤操作を招くことなく、確実な撮影を実行することが可能になる。また、誤操作によって、状態が変更されてしまったり、それによって、その直後に撮影ができなくなる等の不具合が発生しにくくなる。
【０１１２】
（２）第２の発明では、レリーズスイッチを含む複数の操作スイッチにレリーズの機能を割り当てた動作モードを有する。以上のようにすることで、第三者に撮影を依頼した際に、誤操作を招くことなく、確実な撮影を実行することが可能になる。また、シャッタチャンスを逃すこともなくなる。
【図面の簡単な説明】
【図１】本発明の実施の形態例の撮像方法および撮像装置の実施の形態例が適用されるディジタルカメラの電気的構成を示す構成図である。
【図２】本発明の実施の形態例の撮像の動作状態示すフローチャートである。
【図３】本発明の実施の形態例のディジタルカメラの外観構成を示す説明図である。
【図４】本発明の実施の形態例の撮像における周辺部を示す説明図である。
【符号の説明】
１００  ディジタルカメラ
１０１  ＣＰＵ
１０２  撮像部
１０４  撮像回路
１０５  Ａ−Ｄ変換回路
１０６  メモリ
１０７  Ｄ−Ａ変換回路
１０８  画像表示部
１０９  記録用メモリ
１１０  圧縮伸長回路
１１３  ＡＥ・ＡＦ処理回路
１２０  ＥＥＰＲＯＭ
１２１  操作スイッチ
【図１】
2004271570.tif 000003
【図２】
2004271570.tif 000004
【図３】
2004271570.tif 000005
【図４】
2004271570.tif 000006